(57)【要約】【課題】  フリッカの発生をランプ毎に検出可能にしたフリッカ検出装置を提供する。【解決手段】  ランプに印加される電圧からＡＣ成分の信号であるＡＣ信号を抽出するＡＣ成分抜取回路と、フリッカがランプに発生した旨を表示するための表示部と、フリッカを判定するための基準電圧が予め登録され、基準電圧とＡＣ成分抜取回路から受信するＡＣ信号とを比較した結果に応じて、フリッカがランプに発生した旨を表示部に表示させる制御部とを有する。【選択図】  図１
2005202283.tif 000002
【特許請求の範囲】
【請求項１】
ランプに発生するフリッカを検出するためのフリッカ検出装置であって、
前記ランプに印加される電圧からＡＣ成分の信号であるＡＣ信号を抽出するＡＣ成分抜取回路と、
フリッカが前記ランプに発生した旨を表示するための表示部と、
フリッカを判定するための基準電圧が予め登録され、該基準電圧と前記ＡＣ成分抜取回路から受信するＡＣ信号とを比較した結果に応じて、フリッカが前記ランプに発生した旨を前記表示部に表示させる制御部と、
を有するフリッカ検出装置。
【請求項２】
前記制御部は、
前記ＡＣ信号の振幅電圧が前記基準電圧に比べて大きいか否かを判定する比較回路を備えた請求項１記載のフリッカ検出装置。
【請求項３】
前記ランプの発光強度を電圧の大きさに変換し、該電圧のＡＣ成分の信号であるＡＣ補助信号を前記ＡＣ信号に加算する第１の検出補助回路を備えた請求項１または２に記載のフリッカ検出装置。
【請求項４】
前記ランプの発光強度を電圧の大きさに変換し、該電圧のＤＣ成分の信号であるＤＣ補助信号を前記制御部に送出する第２の検出補助回路を備え、
前記制御部は、
前記ランプの発光強度が十分であるか否かを判定するための基準強度データが予め登録され、前記第２の検出補助回路から受信する前記ＤＣ補助信号と該基準強度データとを比較し、該ＤＣ補助信号が該基準強度データよりも小さく、かつ前記ＡＣ信号の振幅電圧が前記基準電圧よりも大きければ、前記ランプにフリッカが発生した旨を前記表示部に表示させる請求項１から３のいずれか１項記載のフリッカ検出装置。
【請求項５】
請求項１から４のいずれか１項記載のフリッカ検出装置を備えたプロジェクタ装置。
【請求項６】
メモリと表示部とを備えたフリッカ検出装置によるフリッカ検出方法であって、
フリッカを判定するための基準電圧を前記メモリに格納し、
ランプに印加される電圧からＡＣ成分の信号であるＡＣ信号を抽出し、
前記ＡＣ信号と前記メモリから読み出した前記基準電圧とを比較した結果に応じて、フリッカが前記ランプに発生した旨を前記表示部に表示させるフリッカ検出方法。
【発明の詳細な説明】
【技術分野】
【０００１】
本発明は、プロジェクタ装置等のランプを使用する装置に用いられるフリッカ検出装置、フリッカ検出方法およびプロジェクタ装置に関する。
【背景技術】
【０００２】
液晶プロジェクタおよびＤＬＰ（Ｄｉｇｉｔａｌ  Ｌｉｇｈｔ  Ｐｒｏｃｅｓｓｉｎｇ）プロジェクタ等のプロジェクタ装置には、点光源に近いことや輝度が高いこと等の利点があるキセノン（Ｘｅｎｏｎ）ランプなどの放電ランプ（以下、単にランプと称する）が用いられている。ランプは使用時間が長くなると明るさが低減して投影像が見えにくくなる。そのため、明るさが低減して投影像が見えにくくなるまでの使用可能時間を予め予測し、できるだけランプを長く使用するための対策が開示されている（例えば、特許文献１参照）。
【０００３】
一方、投影像が見えにくくなる原因として、ランプの明るさ低減の他にフリッカの発生がある。従来、何本かの試験ランプにてライフテストを実施し、ランプの明るさの低減と、ランプにフリッカが生じたか否かということを総合的に判断し、その傾向から使用できなくなるまでの大体の時間を見積もってランプの寿命を決めていた。そして、このようにして決めた寿命をランプの使用可能な時間のデータとしてプロジェクタ装置に予め入力し、各ランプの使用可能時間に同じ制限をかけていた。
【特許文献１】特開２００１−１４２１４５号公報
【発明の開示】
【発明が解決しようとする課題】
【０００４】
上述の方法で決められたランプの寿命は傾向的寿命であり、ランプ毎に寿命を明確に決めたものではなかった。
【０００５】
また、近年、ランプのランニングコストを低減するために、長時間の使用による明るさの低減は無視して、投影像が見苦しくない程度までランプを使用したいという要望がある。フィルムを扱うシネマ関係の映画館では、フリッカが発生したか否かを人が判断し、フリッカが発生したと判断すると、ランプを交換するのが慣例になっている。そのため、プロジェクタ装置に予め入力されたランプの使用時間をあくまで目安とし、フリッカが発生するまでランプを使うことになる。
【０００６】
一方、キセノンランプはフリッカが増えてくると破裂の危険性が増えてくる。そのため、ランプ交換の時期が遅れると、プロジェクタ装置内でランプが破裂するおそれがある。寿命近くまでランプを使用するという状況下でプロジェクタ装置をランプの破裂から安全、かつ確実に守る必要がある。
【０００７】
本発明は上述したような従来の技術が有する問題点を解決するためになされたものであり、フリッカの発生をランプ毎に検出可能にしたフリッカ検出装置、フリッカ検出方法およびプロジェクタ装置を提供することを目的とする。
【課題を解決するための手段】
【０００８】
上記目的を達成するための本発明のフリッカ検出装置は、ランプに発生するフリッカを検出するためのフリッカ検出装置であって、
前記ランプに印加される電圧からＡＣ成分の信号であるＡＣ信号を抽出するＡＣ成分抜取回路と、
フリッカが前記ランプに発生した旨を表示するための表示部と、
フリッカを判定するための基準電圧が予め登録され、該基準電圧と前記ＡＣ成分抜取回路から受信するＡＣ信号とを比較した結果に応じて、フリッカが前記ランプに発生した旨を前記表示部に表示させる制御部と、
を有する構成である。
【０００９】
本発明では、ランプにフリッカが発生するとランプの電極間に発生する電圧変動が基準電圧を越えるため、その電圧変動を示すＡＣ信号と基準電圧とを比較することでフリッカが発生したか否かが判定可能となり、フリッカが発生した際にはその旨表示される。そのため、使用する各ランプについてフリッカの発生がユーザに通知され、フリッカが発生するまでランプを使いきることが可能となる。
【００１０】
この場合、前記制御部は、前記ＡＣ信号の振幅電圧が前記基準電圧に比べて大きいか否かを判定する比較回路を備えたこととしてもよい。
【００１１】
また、上記本発明のいずれかのフリッカ検出装置において、前記ランプの発光強度を電圧の大きさに変換し、該電圧のＡＣ成分の信号であるＡＣ補助信号を前記ＡＣ信号に加算することとしてもよい。
【００１２】
本発明では、ランプにフリッカが発生するとランプの発光強度に周期変動が現れるため、ランプの発光の周期変動がＡＣ補助信号として検出される。このＡＣ補助信号をＡＣ信号に加えることで、フリッカの検出精度がより向上する。
【００１３】
また、上記本発明のいずれかのフリッカ検出装置において、前記ランプの発光強度を電圧の大きさに変換し、該電圧のＤＣ成分の信号であるＤＣ補助信号を前記制御部に送出する第２の検出補助回路を備え、
前記制御部は、
前記ランプの発光強度が十分であるか否かを判定するための基準強度データが予め登録され、前記第２の検出補助回路から受信する前記ＤＣ補助信号と該基準強度データとを比較し、該ＤＣ補助信号が該基準強度データよりも小さく、かつ前記ＡＣ信号の振幅電圧が前記基準電圧よりも大きければ、前記ランプにフリッカが発生した旨を前記表示部に表示させることとしてもよい。
【００１４】
本発明では、ランプの発光強度が必要最低限の明るさより小さくなったことが検出され、かつフリッカが検出されると、フリッカが発生したことがユーザに通知される。そのため、ユーザはフリッカと明るさの両方の面からランプが寿命であることを知ることができる。
【００１５】
一方、上記目的を達成するための本発明のプロジェクタ装置は、上記本発明のいずれかのフリッカ検出装置を備えた構成である。
【００１６】
本発明では、ランプに発生するフリッカを検出するための装置をプロジェクタ装置に備えているため、ランプ毎に寿命近くまで使用でき、プロジェクタ装置の運用コストを低減できる。また、フリッカの発生が通知されるため、フリッカの発生したランプが破裂する前に新しいランプに交換可能となる。
【００１７】
さらに、上記目的を達成するための本発明のフリッカ検出方法は、メモリと表示部とを備えたフリッカ検出装置によるフリッカ検出方法であって、
フリッカを判定するための基準電圧を前記メモリに格納し、
ランプに印加される電圧からＡＣ成分の信号であるＡＣ信号を抽出し、
前記ＡＣ信号と前記メモリから読み出した前記基準電圧とを比較した結果に応じて、フリッカが前記ランプに発生した旨を前記表示部に表示させるものである。
【発明の効果】
【００１８】
本発明では、プロジェクタ装置など、ランプを使用する装置において、人間の目視や感覚で判断していたフリッカ発生の有無をランプに印加される電圧の振れ幅を測定することで定量的に検出可能となる。
【００１９】
また、ランプの交換時期について、従来、ランプ毎の寿命のばらつきを無視して、ランプの使用実績からランプの寿命を推測的または傾向的に決めていたのに対し、本発明では、ランプに発生するフリッカを定量的な方法で検出することにより、フリッカの判断について人によるばらつきがなくなり、実際に発生するフリッカを検出し、ランプ毎に実際の寿命を表示できる。
【００２０】
さらに、ランプ毎に寿命近くまで使用可能になるため、ランプの交換周期が従来よりも長くなり、プロジェクタ装置等の運用コストが低減する。
【発明を実施するための最良の形態】
【００２１】
本発明のフリッカ検出装置は、ランプに印加される電圧の周期変動をモニタする回路を設けることで、ランプに印加される電圧の振れ幅を測定してフリッカの発生を定量的に検出可能にしたものである。
（実施形態１）
本実施形態のフリッカ検出装置を備えたプロジェクタ装置について説明する。
【００２２】
図１はプロジェクタ装置の一構成例を示すブロック図である。
【００２３】
図１に示すように、プロジェクタ装置１０は、光源となるキセノンランプ１３と、キセノンランプ１３からの光を光束にし、外部装置の信号回路１２から受け取る画像のデータを投影のための画像に変換してレンズ１８に送出する光学系／表示デバイス１１と、キセノンランプ１３に電流を供給するランプ電源１４と、キセノンランプ１３に印加される電圧をモニタするフリッカ検出回路１６と、フリッカが発生したことをユーザに通知するための表示部１９と、全体を制御する制御部１５とを有する構成である。制御部１５はフリッカ検出回路１６および表示部１９と通信可能に接続されている。イグナイタ１７はキセノンランプ１３に放電を開始させるための始動器である。レンズ１８は光学系／表示デバイス１１から受け取る画像を拡大して図に示さないスクリーンに投影する。
【００２４】
制御部１５は、プログラムにしたがって所定の処理を実行するＣＰＵ（Ｃｅｎｔｒａｌ  Ｐｒｏｃｅｓｓｉｎｇ  Ｕｎｉｔ）と、プログラムを格納するためのメモリとを備えている。また、制御部１５には、フリッカを判定するための基準電圧が予め登録されている。表示部１９は、ランプ交換を促すためにフリッカが発生したことをユーザに通知するための機器であり、例えば、フリッカが発生した旨のメッセージを表示する液晶ディスプレイ（ＬＣＤ：Ｌｉｑｕｉｄ  Ｃｒｙｓｔａｌ  Ｄｉｓｐｌａｙ）や、点灯することでフリッカが発生したことを示す警告灯である。
【００２５】
フリッカ検出回路１６はランプ電源１４からキセノンランプ１３に電流を供給するための２本のライン間の電圧をモニタする。そして、キセノンランプ１３に印加される電圧のＡＣ（Ａｌｔｅｒｎａｔｉｎｇ  Ｃｕｒｒｅｎｔ）成分の振幅電圧を制御部１５に送出する。
【００２６】
制御部１５は、フリッカ検出回路１６から振幅電圧を受信すると、受信した振幅電圧とフリッカを判定するための基準電圧とを比較し、振幅電圧が基準電圧よりも大きければフリッカが発生していることを表示部１９に表示させる。
【００２７】
ここで、フリッカ検出回路１６のフリッカ検出原理について説明する。
【００２８】
ランプ電源１４は、キセノンランプ１３に一定の電流が流れるように制御するための電源制御部（不図示）を備え、プラス（＋）電極とマイナス（−）電極の２本のケーブルを介してキセノンランプ１３に一定の電流を流す。キセノンランプ１３は一定の電流が供給されることで、点灯を継続する。しかし、キセノンランプ１３の電極間の電圧は、ランプ自身の構造、電流の大きさ、および温度等で一意的に決まるが、アークの状態により完全に一定のＤＣ（Ｄｉｒｅｃｔ  Ｃｕｒｒｅｎｔ）電圧ではない。
【００２９】
図２はキセノンランプの電極間の電圧を示すグラフである。
【００３０】
図２に示すように、例えば、ランプに印加される電圧が３０ＶのＤＣ電圧に対して、ランプ内のアークの状態によってＡＣ信号によるＰｅａｋ  ｔｏ  Ｐｅａｋの電圧値（Ｖｐ−ｐ）の“暴れ”電圧が生じる。この“暴れ”電圧は、図２では１〜２Ｖ程度であるが、ランプが寿命に近づくほど大きくなり、Ｖｐ−ｐが所定の値を越えるとランプにフリッカが発生する。そのため、Ｖｐ−ｐをモニタし、Ｖｐ−ｐが所定の値を越えるか否かを判定することで、フリッカが検出される。なお、この所定の値はフリッカを判定するための基準電圧となる。
【００３１】
次に、フリッカ検出装置の構成について詳細に説明する。
【００３２】
図３はフリッカ検出装置の一構成例を示す回路図である。
【００３３】
図３に示すように、フリッカ検出装置は、フリッカ検出回路１６と、制御部１５と、表示部１９とを有する構成である。フリッカ検出回路１６は、キセノンランプ１３に印加される電圧からＡＣ成分を抜き出すためのＡＣ成分抜取回路１６２と、ＡＣ成分抜取回路１６２から受け取る信号を信号処理のために増幅するプリアンプ（Ｐｒｅ−ＡＭＰ）１６４と、プリアンプ１６４から受け取る信号をデジタル化するＡ／Ｄ（Ａｎａｌｏｇ／Ｄｉｇｉｔａｌ）コンバータ１６６とを備えている。また、制御部１５はフリッカの有無を判定する比較回路１５２を備えている。比較回路１５２に信号を入力するための２つの入力端子のうち、一方の入力端子はＡ／Ｄコンバータ１６６に接続され、他方の入力端子は基準電圧を出力する定電圧発生回路１５６に接続されている。この定電圧発生回路１５６は可変抵抗を備え、可変抵抗を調節することで所望の基準電圧が予め登録される。
【００３４】
ＡＣ成分抜取回路１６２は、キセノンランプ１３の電極間の電圧からＡＣ成分を示すＡＣ信号を抜き取るために、電極間の電圧が入力される信号伝送線にコンデンサが接続されたコンデンサカップリング回路が設けられている。ＡＣ信号を抜き出す際、できるだけ低い周波数も抜き出せるようにして、周期の長いフリッカにも対応可能にしている。なお、本実施形態では、コンデンサカップリング回路を用いているが、コンデンサの代わりに差動アンプ等のＤＣ補正回路を用いてもよい。
【００３５】
Ａ／Ｄコンバータ１６６は、プリアンプ１６４から受信するＡＣ信号をデジタル化したＡＣデジタル信号に変換して比較回路１５２に送出する。
【００３６】
比較回路１５２は、Ａ／Ｄコンバータ１６６から受け取るＡＣデジタル信号が示す振幅電圧と予め格納された基準電圧との大きさを比較し、振幅電圧が基準電圧よりも大きければランプにフリッカが発生したことを示す信号であるフリッカ検出信号を制御部１５内のＣＰＵ１５４に送出する。ＣＰＵ１５４は、Ａ／Ｄコンバータ１６６からフリッカ検出信号を受信すると、フリッカが発生した旨のメッセージを表示部１９に表示させる。
【００３７】
なお、ＣＰＵ１５４は、ランプ電源１４がＯＮすると、Ａ／Ｄコンバータ１６６を動作させるためのスタート信号をＡ／Ｄコンバータ１６６に送出する。反対に、ランプ電源１４がＯＦＦすると、Ａ／Ｄコンバータ１６６の動作を停止させるためのストップ信号をＡ／Ｄコンバータ１６６に送出する。
【００３８】
次に、上記構成のフリッカ検出装置の動作手順について説明する。
【００３９】
図４はフリッカ検出装置の動作手順を示すフローチャートである。
【００４０】
ユーザがプロジェクタ装置１０の電源を入れ、ランプ電源１４をオンにすると、イグナイタ１７がキセノンランプ１３に放電を開始させ、キセノンランプ１３に一定の電流が流れ始め、Ａ／Ｄコンバータ１６６が動作を開始する。ＡＣ成分抜取回路１６２は、ランプ電源１４からキセノンランプ１３に接続された２本のラインを介して「ＡＣ＋ＤＣ」波形の電圧を受信すると、コンデンサカップリング回路により、ＡＣ信号を抜き出してプリアンプ１６４に送出する（ステップＳ１）。
【００４１】
続いて、プリアンプ１６４がＡＣ成分抜取回路１６２からＡＣ信号を受け取ると、ＡＣ信号を増幅してＡ／Ｄコンバータ１６６に送出する（ステップＳ２）。Ａ／Ｄコンバータ１６６はプリアンプ１６４からＡＣ信号を受け取ると、ＡＣ信号をＡＣデジタル信号に変換して比較回路１５２に送出する（ステップＳ３）。
【００４２】
比較回路１５２は、Ａ／Ｄコンバータ１６６から受け取ったＡＣデジタル信号の示す振幅電圧が基準電圧よりも大きいか否かを判定し（ステップＳ４）、振幅電圧が基準電圧よりも大きければ、フリッカ検出信号をＣＰＵ１５４に送出する。ＣＰＵ１５４は、比較回路１５２からフリッカ検出信号を受け取ると、ランプ交換が必要であることをユーザに通知するためにフリッカが発生した旨を表示部１９に表示させる（ステップＳ５）。一方、ステップＳ４で、振幅電圧が基準電圧以下であれば、比較回路１５２はフリッカ検出信号をＣＰＵ１５４に送出しない。
【００４３】
上述したようにフリッカはランプの寿命近くで激しく出るため、本発明では、ランプに印加される電圧をモニタして“暴れ”電圧を検出し、“暴れ”電圧と予め登録した基準電圧とを比較し、“暴れ”電圧が基準電圧を越える場合にフリッカが発生したものと定義することで、定量的にフリッカが検出される。このようにして、フリッカが発生した状態を検出することで、ランプの寿命をランプ毎に決定できる。そのため、ランプ毎の寿命に合わせてランプを使いきることが可能となる。
【００４４】
また、ランプ毎に寿命近くまで使用可能となるため、プロジェクタ装置の運用コストを低減できる。また、フリッカの発生が通知されるため、フリッカの発生したランプが破裂する前に新しいランプに交換できる。
（実施形態２）
本実施形態は、実施形態１の構成の他に、フリッカ検出の精度を向上させるためにランプの発光強度をモニタする構成を設けたものである。
【００４５】
本実施形態の構成について説明する。なお、実施形態１と同様な構成については同一の符号を付し、その構成と動作についての詳細な説明を省略する。
【００４６】
図５は本実施形態のプロジェクタ装置の一構成例を示すブロック図である。
【００４７】
図５に示すように、プロジェクタ装置２０は、図１に示した構成の他に、フリッカ検出の精度を上げるための検出補助回路２１を光学系／表示デバイス１１とフリッカ検出回路２６との間に設けている。
【００４８】
図６は本実施形態のフリッカ検出装置の一構成例を示すブロック図である。
【００４９】
図６に示すように、フリッカ検出回路２６には、ＡＣ抜取回路１６２から出力されるＡＣ信号をプリアンプ１６４に送るための信号伝送線にスイッチ（ＳＷ）２６２が設けられている。このスイッチ２６２に、ランプの発光強度を電圧の大きさで示す信号である光強度信号に変換する検出補助回路２１が接続されている。検出補助回路２１は、キセノンランプ１３の発光強度を光強度信号に変換する光検出デバイスとなる光（フォト）センサ２１２と、光センサ２１２から受け取る信号からＡＣ成分の信号を抽出して信号処理のために増幅する補正アンプ（補正ＡＭＰ）２１４とを備えている。
【００５０】
光センサ２１２が光強度信号を補正アンプ２１４に送出すると、補正アンプ２１４は光センサ２１２より受信した光強度信号からＡＣ成分を抜き出す。このＡＣ成分は、ＡＣ抜取回路１６２から送出されるＡＣ信号に加えられる信号となる。以下では、光強度信号のＡＣ成分をＡＣ補助信号と称する。補正アンプ２１４はＡＣ補助信号をフリッカ検出回路２６のスイッチ２６２に送出する。スイッチ２６２は検出補助回路２１から受信したＡＣ補助信号をＡＣ信号に加える。なお、ランプの明るさに周期的変動がほとんどなければ、光センサ２１２は光強度信号からＡＣ成分を抽出しないので、検出補助回路２１はフリッカ検出回路２６に何も信号を送らない。
【００５１】
例えば、ＤＭＤ（Ｄｉｇｉｔａｌ  Ｍｉｃｒｏｍｉｒｒｏｒ  Ｄｅｖｉｃｅ）に検出補助回路２１を用いる場合、ＤＭＤからレンズの外に出さない、利用されない光（以下、ＯＦＦ光と称する）が照射される場所に光センサ２１２を配置することで、ＯＦＦ光の明るさに周期的変動が発生すると、光センサ２１２が光強度信号を補正アンプ２１４に送出する。
【００５２】
次に、フリッカ検出装置の動作について説明する。ここでは、キセノンランプ１３にフリッカが発生し、キセノンランプ１３の明るさが周期的に変動しているものとする。
【００５３】
光センサ２１２がキセノンランプ１３の発光強度を光強度信号に変換し、光強度信号からＡＣ補助信号を抽出して補正アンプ２１４に送出する。補正アンプ２１４はＡＣ補助信号を受信すると、フリッカ検出回路２６の信号処理に合わせてＡＣ補助信号を増幅してスイッチ２６２に送出する。スイッチ２６２はＡＣ補助信号を補正アンプ２１４から受信すると、ＡＣ補助信号をＡＣ成分抜取回路１６２から出力されるＡＣ信号に加える。その後は、図４に示した方法と同様に処理を実行する。
【００５４】
本実施形態では、上述のようにして、実際のランプの発光強度をＡＣ信号に反映させることで、ランプに印加される電圧と実際の発光強度の両方でフリッカを検出でき、フリッカ検出の精度が向上する。
【００５５】
なお、光強度信号からＡＣ補助信号を抽出した検出補助回路２１を第１の検出補助回路とすると、絶対的な明るさに相当するＤＣ成分の信号であるＤＣ補助信号を光強度信号から抽出する第２の検出補助回路を設けるようにしてもよい。
【００５６】
図７は本実施形態の他の実施例を示すブロック図である。
【００５７】
第２の検出補助回路２３は、光センサ２１２と、光センサ２１２から受信する光強度信号からＤＣ補助信号を抽出して制御部１５に送出する補正アンプ２１６とを備える。この場合、図３に示した制御部１５のＣＰＵ１５４のメモリに、発光強度が十分であるか否かを判定するための、ランプを使用可能な必要最低限の発光強度を示す基準強度データを予め格納する。そして、ＣＰＵ１５４は、第２の検出補助回路２３から受信するＤＣ補助信号と基準強度データの大きさを比較し、ＤＣ補助信号が基準強度データよりも小さく、かつＡＣ信号の振幅電圧が基準電圧よりも大きい場合をランプの寿命と判定し、ユーザにランプ交換を促すためにフリッカが発生した旨を表示部１９に表示させる。基準強度データは、例えば、ランプの初期の明るさの半分を示す値である。第２の検出補助回路を設けることで、フリッカの有無だけでなく、ランプの明るさについても定量的に検出可能となり、明るさとフリッカの両方の面でランプの寿命が決定される。
【００５８】
また、第１の検出補助回路および第２の検出補助回路の両方を設けるようにしてもよい。この場合、ランプの寿命をさらに精度よく決定できる。
【００５９】
なお、上記実施形態１および実施形態２では、ＡＣ信号を増幅した後、その信号をデジタル信号に変換したが、制御部１５がＡＣ信号を直接受信するようにしてもよい。
【００６０】
また、フリッカ判定に比較回路１５２を用いたが、ＣＰＵ１５４がプログラムにしたがってＡ／Ｄコンバータ１６６から受け取るＡＣデジタル信号の振幅電圧と基準電圧とを比較して、フリッカ判定の処理を実行するようにしてもよい。この場合、基準電圧は予めメモリに格納される。
【００６１】
さらに、キセノンランプ１３の場合のフリッカ判定について説明したが、超高圧水銀ランプなど他のランプであってもよい。
【図面の簡単な説明】
【００６２】
【図１】本発明のプロジェクタ装置の一構成例を示すブロック図である。
【図２】キセノンランプの電極間の電圧を示すグラフである。
【図３】本発明のフリッカ検出装置の一構成例を示すブロック図である。
【図４】フリッカ検出装置の動作手順を示すフローチャートである。
【図５】実施形態２のプロジェクタ装置の一構成例を示すブロック図である。
【図６】実施形態２のフリッカ検出装置の一構成例を示すブロック図である。
【図７】実施形態２の他の実施例を示すブロック図である。
【符号の説明】
【００６３】
１０、２０    プロジェクタ装置
１１    光学系／表示デバイス
１３    キセノンランプ
１４    ランプ電源
１５    制御部
１６、２６    フリッカ検出回路
１７    イグナイタ
１８    レンズ
１９    表示部
２１    検出補助回路
２３    第２の検出補助回路
１５２    比較回路
１５６    定電圧発生回路
１６２    ＡＣ成分抜取回路
１６４    プリアンプ
１６６    Ａ／Ｄコンバータ
２１２    フォトセンサ
２１４、２１６    補正アンプ
２６２    スイッチ
【図１】
2005202283.tif 000003
【図２】
2005202283.tif 000004
【図３】
2005202283.tif 000005
【図４】
2005202283.tif 000006
【図５】
2005202283.tif 000007
【図６】
2005202283.tif 000008
【図７】
2005202283.tif 000009